(57)【要約】【課題】加熱調理器の内部を冷却する空気を外部に排出する開口部を上面前端部に設けた加熱調理器を提供する。【解決手段】本発明の加熱調理器は、被調理物を収容する調理室を備えた本体１と、本体１を覆うキャビネット２と、を備え、キャビネット２の上面前端部には内部の空気を外部に排出する開口部８４が設けられている。【選択図】図１
2018091493.tif 000002
【特許請求の範囲】
【請求項１】
被調理物を収容する調理室を備えた本体と、
前記本体を覆う外殻体と、を備え、
前記外殻体の上面前端部には内部の空気を外部に排出する開口部が設けられることを特徴とする加熱調理器。
【請求項２】
前記本体と前記外殻体との間には空気が流動する通気空間が形成され、
前記通気空間が前記開口部に連通していることを特徴とする請求項１に記載の加熱調理器。
【請求項３】
前記本体上部には、前記調理室内から空気を排出する連通孔が形成され、
前記連通孔と前記開口部とを連通する通気路が形成され、前記通気路は前記通気空間と連通しないことを特徴とする請求項１又は２に記載の加熱調理器。
【請求項４】
前記連通孔を開閉する開閉部を備えることを特徴とする請求項３に記載の加熱調理器。
【請求項５】
前記通気路には、前記連通孔から前記開口部まで空気が流動する距離を長くするための障害部が形成されていることを特徴とする請求項３又は４に記載の加熱調理器。
【請求項６】
前記開口部が左右方向に細長く形成されていることを特徴とする請求項１〜５のいずれか１項に記載の加熱調理器。
【発明の詳細な説明】
【技術分野】
【０００１】
本発明は、庫内を冷却する冷却風を庫外へ排出する排出口を上部前面に備える加熱調理器に関する。
【背景技術】
【０００２】
この種の加熱調理器として、例えば特許文献１には、本体内部の冷却構造として、調理室の室外下部空間に１個の冷却ファンを配設し、送風ファンからの冷却風を、同じ室外下部空間に配設したマイクロ波発生装置の制御基板やマグネトロンに送風すると共に、送風ダクトにより調理室の室外側部空間に導いて、その室外側部空間に設けた赤外線センサや扉のロック機構に送風する電子レンジが提案されている。
【０００３】
しかしながら、電子レンジ内部の発熱部を冷却した空気は発熱部から熱を吸収するため高温となる。特許文献１には高温となった空気を電子レンジの外部へ排気する経路については記載されていないが、この種の電子レンジでは、本体の側面部や背面部に形成された開口から高温の空気を排出することがある。
【先行技術文献】
【特許文献】
【０００４】
【特許文献１】特開２０１３−７９７４４号公報
【発明の概要】
【発明が解決しようとする課題】
【０００５】
このような電子レンジをキッチンに設置されたキッチンファーニチャーに収納する際、キッチンファーニチャーに形成された電子レンジ収納部のスペースを小さくしたいという要望もある。一方、電子レンジについては一定以上の庫内容量を確保するという要請もある。そのため、電子レンジをキッチンファーニチャーに収納すると、電子レンジのキャビネットの側面部、背面部、上面部はキッチンファーニチャーの内面と近接してしまうことが多い。このような場合に、電子レンジの側面部や背面部から高温の空気を排出すると、キッチンファーニチャーに高温の空気が当たりキッチンファーニチャーの損傷が発生してしまう虞があった。また、キッチンファーニチャーの収納部内に高温の空気が滞留してしまい、電子レンジの冷却効率が低下してしまうという問題があった。
【０００６】
そこで、本発明は上記問題点に鑑み、加熱調理器の庫内容量を確保しつつ、省スペースのキッチンファーニチャーに収納可能な加熱調理器を提供することを目的とする。
【課題を解決するための手段】
【０００７】
請求項１の発明では、被調理物を収容する調理室を備えた本体と、前記本体を覆う外殻体と、を備え、前記外殻体の上面前端部には内部の空気を外部に排出する開口部が設けられることを特徴とする。
【０００８】
請求項２の発明では、前記本体と前記外殻体との間には空気が流動する通気空間が形成され、前記通気空間が前記開口部に連通していることを特徴とする。
【０００９】
請求項３の発明では、前記本体上部には、前記調理室内から空気を排出する連通孔が形成され、前記連通孔と前記開口部とを連通する通気路が形成され、前記通気路は前記通気空間と連通しないことを特徴とする。
【００１０】
請求項４の発明では、前記連通孔を開閉する開閉部を備えることを特徴とする。
【００１１】
請求項５の発明では、前記通気路には、前記連通孔から前記開口部まで空気が流動する距離を長くするための障害部が形成されていることを特徴とする。
【００１２】
請求項６の発明では、前記開口部が左右方向に細長く形成されていることを特徴とする。
【発明の効果】
【００１３】
請求項１の発明によれば、加熱調理器内部の空気を上面前端部から加熱調理器外部へ排出することができる。
【００１４】
請求項２の発明によれば、加熱調理器内部の空気を通気空間を経て開口部から加熱調理器外部へ排出することができる。
【００１５】
請求項３の発明によれば、調理室内の空気を通気路を経て開口部から加熱調理器外部へ排出することができる。
【００１６】
請求項４の発明によれば、調理室内の空気の加熱調理器外部への排出を開閉部により制御することができる。
【００１７】
請求項５の発明によれば、通気路を流動する空気の温度を下げ、開口部から高温の空気が排出されることを防止することができる。
【００１８】
請求項６の発明によれば、加熱調理器の高さを抑えつつ開口部の開口面積を広くすることができる。
【図面の簡単な説明】
【００１９】
【図１】本発明の第一実施形態を示すオーブンレンジの外観斜視図である。
【図２】同上、扉を開けた時の正面前方から見た図である。
【図３】同上、側面から見た縦断面図である。
【図４】同上、キャビネットやオーブン後板を外した状態の後面後方から見た図である。
【図５】同上、キャビネットを外した状態の本体の正面図である。
【図６】同上、熱風ユニットや伝達機構を示す背面図である。
【図７】同上、調理室の奥壁から取り外した熱風ユニットの要部正面図である。
【図８】同上、調理室と加熱室との位置関係を示す図である。
【図９】同上、側面から見たマイクロ波発生装置とその周辺の要部縦断面図である。
【図１０】本実施形態のオーブンレンジに関し、キャビネットやオーブン底板などを外した状態の本体の底面図である。
【図１１】同上、キャビネットを外した状態の右側面から見た図である。
【図１２】同上、キャビネットなどを外した状態の本体の右側面図である。
【図１３】同上、キャビネットの背面図である。
【図１４】同上、キャビネットの右側面図である。
【図１５】同上、キャビネットの左側面図である。
【図１６】同上、主な電気的構成を示すブロック図である。
【図１７】同上、キャビネットを外した状態の背面側斜視図である。
【図１８】同上、ダンパーなどを示す断面図である。
【図１９】同上、左側面から見た縦断面図である。
【図２０】同上、キッチンファーニチャーに収納した状態の右側面図である。
【図２１】同上、キッチンファーニチャーに収納した状態の正面側斜視図である。
【発明を実施するための形態】
【００２０】
以下、本発明における好ましい加熱調理器の実施形態について、添付図面を参照して説明する。なお、これらの全図面にわたり、共通する部分には共通する符号を付すものとする。
【００２１】
図１〜図２１は、本発明の加熱調理器をオーブンレンジに適用した一実施形態を示している。先ず図１〜図６に基づいて、オーブンレンジの全体構成を説明すると、１は略矩形箱状に構成される本体で、この本体１は、製品となるオーブンレンジの外郭を覆う外殻体として、金属製のキャビネット２を備えている。また３は、本体１の前面に設けられる開閉自在な扉である。
【００２２】
扉３の上部には、縦開きの扉３を開閉するときに手をかける開閉操作用のハンドル４を備えており、扉３の下部には、表示や報知や操作のための操作パネル部５を備えている。操作パネル部５は、調理の設定内容や進行状況などを表示する表示手段６の他に、加熱調理に関する各種の操作入力を可能にする操作手段７が配設される。扉３の内部で操作パネル部５の後側には、図示しないが、表示手段６や操作手段７などの制御を行なうために、操作パネルＰＣ（印刷回路）板が配置される。
【００２３】
本体１の下部には、本体１の前面より着脱が可能な給水カセット８と水受け９が各々配設される。給水カセット８は、蒸気発生装置（図示せず）から発生する蒸気の供給源として、液体となる水を入れる有底状の容器である。また水受け９は、本体１からの食品カスや水滴、蒸気などを受ける有底状の容器である。
【００２４】
本体１の左右側面と上面を形成するキャビネット２は、本体１ひいてはオーブンレンジの底面を形成するオーブン底板１１を覆うように、本体１の前面を形成するオーブン前板１２と、本体１の後面を形成するオーブン後板１３との間に設けられる。また本体１には、加熱調理すべき被調理物Ｓを内部に収容する調理室１４と、調理室１４の温度を検出する温度検出素子たるサーミスタ１５が設けられる。調理室１４の前面はオーブン前板１２に達していて、被調理物Ｓを出し入れするのに開口しており、この開口を扉３で開閉する構成となっている。
【００２５】
図１０〜図１２に示すように、調理室１４の外面とキャビネット２の内面との間には、通気空間としての室外下部空間３２、室外上部空間１６１、左右の室外側部空間１６２、室外後部空間１６３が各々形成される。室外下部空間３２は底壁１４ｂとキャビネット２の内面との間、室外上部空間１６１は天井壁１４ａとキャビネット２の内面との間、左右の室外側部空間１６２は左側壁１４ｃ及び右側壁１４ｄとキャビネット２の内面との間、室外後部空間１６３は奥壁１４ｅとキャビネット２の内面との間に各々形成される。室外下部空間３２は室外側部空間１６２及び室外後部空間１６３と連通しており空気が流動可能となっている。また、室外上部空間１６１は室外側部空間１６２及び室外後部空間１６３と連通しており空気が流動可能となっている。キャビネット２の上面前側部には、排気ダクト８１が形成されており、この排気ダクト８１は室外上部空間１６１と連通している。排気ダクト８１は左右の側壁８２及び上壁８３により形成されており、側壁８２が前方に向かって上下方向の幅が拡幅しているため、上壁８３が前方に向かって上方に傾斜している。排気ダクト８１の前端部には左右に細長い開口部８４が開口形成されている。図２０に示す排気ダクト８１の高さＨは任意に設定可能であるが、高さＨを低くすることによりオーブンレンジの高さを抑えることができる。本実施例では、排気ダクト８１の高さＨは２９．５ｍｍとしている。一方、排気ダクト８１の横幅Ｗも任意に設定可能である。横幅Ｗを大きくすることにより、開口部８４が大きくなり排出する空気の量を多くすることができる。本実施例の排気ダクト８１の幅Ｗは４５６ｍｍとしている。
【００２６】
調理室１４を形成する周壁は、天井壁１４ａと、底壁１４ｂと、左側壁１４ｃと、右側壁１４ｄと、奥壁１４ｅとからなる。調理室１４の奥壁１４ｅは、その中央に吸込み口１６を備えており、吸込み口１６の周囲には複数の熱風吹出し口１７を備えている。また、調理室１４の上壁面となるドーム状の天井壁１４ａに対向して、本体１の上部には、調理室１４の上方から被調理物Ｓを輻射加熱するグリル用の上ヒータ１８が設けられ、本体１の底部である室外下部空間３２には、調理室１４内に電波であるマイクロ波を供給するために、マグネトロン６４（図１０を参照）を含むマイクロ波発生装置１９が設けられる。これにより、上ヒータ１８への通電に伴う熱放射によって、調理室１４内に収容した被調理物Ｓを上方向からグリル加熱し、またマイクロ波発生装置１９への通電動作により、調理室１４内に収容した被調理物Ｓにマイクロ波を放射して、被調理物Ｓをレンジ加熱する構成となっている。
【００２７】
調理室１４の左側壁１４ｃと右側壁１４ｄには、調理室１４の内部に金属製の角皿２１を吊設状態で収納保持するために、左右一対の棚支え２２を上下二段に備えている。ここで使用する角皿２１は、上面を開口した有底凹状で、その他は無孔に形成される収容部２１Ａと、収容部２１Ａの上端より外側水平方向に延設するフランジ部２１Ｂとにより構成される。またフランジ部２１Ｂには、角皿２１を通して熱風の流通を可能にする通気孔２１Ｃが開口形成される。図２では、調理室１４の内部で下段の棚支え２２に角皿２１のフランジ部２１Ｂを載せて、収容部２１Ａに被調理物Ｓを載せた状態を示しているが、調理に応じて角皿２１を上段の棚支え２２にだけ載せたり、２枚の角皿２１を上段と下段の棚支え２２に各々載せたりしてもよく、角皿２１に代えて別な焼き網（図示せず）などの付属品を収納保持することもできる。
【００２８】
２４は、本体１の内部において、調理室１４の室外後方から下方にかけて具備されるオーブン加熱用の熱風ユニットである。この熱風ユニット２４は、奥壁１４ｅに取付けられる凸状のケーシング２６と、空気を加熱する熱風ヒータ２７と、調理室１４内に加熱した空気を送り込んで循環させる熱風ファン２８と、熱風ファン２８を所定方向に回転させる電動の熱風モータ２９と、熱風モータ２９からの駆動力を熱風ファン２８に伝達する伝達機構３０と、により概ね構成される。奥壁１４ｅとケーシング２６との間の内部空間として、調理室１４の室外後方に形成された加熱室３１には、熱風ヒータ２７と熱風ファン２８がそれぞれ配設される一方で、本体１の内部に形成された調理室１４とオーブン底板１１との間の室外下部空間３２には、熱風モータ２９が配設される。そして、熱風ユニット２４全体を後側外方から覆うように、本体１の後部にオーブン後板１３が配設される。
【００２９】
本実施形態の熱風ファン２８は、軸方向に取り入れた空気を、回転時の遠心力によって、軸方向と直角な放射方向に吐き出すいわゆる遠心ファンとして設けられており、管状の熱風ヒータ２７は熱風ファン２８の放射方向を取り囲んで配置される。発熱部でもある熱風ヒータ２７は、例えばシーズヒータ、マイカヒータ、石英管ヒータやハロゲンヒータなどを用いる。前述した吸込み口１６や熱風吹出し口１７は、調理室１４と加熱室３１との間を連通する通風部として機能するものである。
【００３０】
そして本実施形態では、熱風モータ２９への通電に伴い熱風ファン２８が回転駆動すると、調理室１４の内部から吸込み口１６を通して吸引された空気が、熱風ファン２８の放射方向に吹出して、通電した熱風ヒータ２７により加熱され、熱風吹出し口１７を通過して、調理室１４内に熱風が供給される。これにより、調理室１４の内外で熱風を循環させる経路が形成され、調理室１４内の被調理物Ｓを熱風コンベクション加熱する。さらに、調理室１４の左側壁１４ｃには、蒸気発生装置に連通する蒸気噴出孔３３が設けられる。図示しないが、本体１の内部に設けられる蒸気発生装置は、金属製で中空の蒸発容器や、蒸発容器に装着されるシーズヒータなどの蒸発用ヒータや、給水カセット８からの水を蒸発容器内に導く給水ポンプなどを備え、蒸発容器内に連通して複数の蒸気噴出孔３３を有している。これにより蒸気発生装置の動作中には、給水カセット８からの水を蒸発容器内に送り込んで所定の温度にまで加熱することで、蒸気噴出孔３３から調理室１４の内部に飽和蒸気や過熱蒸気が供給され、調理室１４内に入れられた被調理物Ｓのスチーム調理を行なう構成となっている。
【００３１】
熱風ファン２８は、その回転軸となるシャフト３４を中心として、シャフト３４の周囲に複数枚のブレード３５を放射状に配置して構成される。シャフト３４の基端は、本体１の後方に向けて加熱室３１の外方へ突出しており、ここに従動側のプーリー３６Ｂが取付け固定される。また熱風モータ２９には、本体１の後方に向けて突出する回動可能なモータ軸３７に、主動側のプーリー３６Ａが取付け固定される。これらのプーリー３６Ａ，３６Ｂの間には無端状のベルト３８が懸架され、プーリー３６Ａ，３６Ｂとベルト３８からなる伝達機構３０が、熱風ファン２８と熱風モータ２９とを連結する構成となっている。図示しないが、ベルト３８の断面は例えば矩形状や台形状の他、様々な形状とすることができる。
【００３２】
伝達機構３０はその他に、熱風ファン２８のシャフト３４を所定の位置で軸支するための支持体４１を備えている。支持体４１は、ベルト３８の側部を取り囲んでケーシング２６の後外面に取付け固定され、熱風ファン２８のシャフト３４や熱風モータ２９のモータ軸３７が挿通するケース部材４２と、シャフト３４を回動可能に支持するのに、プーリー３６Ｂを部分的に覆ってケース部材４２に取付け固定されたホルダー部材４３と、により構成される。特に本実施形態のケース部材４２は、調理室１４の底壁１４ｂより下方に延びた脚部４４を一体的に形成しており、脚部４４の底面を本体１のオーブン底板１１上に載せて、調理庫１４の後部を脚部４４で支えることで、熱風モータ２９を収容し得る程の大きさの下部空間３２が、調理室１４とオーブン底板１１との間に形成される。またケース部材４２には、熱風ファン２８の回転速度を検出するために、プーリー３６Ａに近接配置された非接触の検出センサ４５が配設される。
【００３３】
図４に示すように、熱風ファン２８のシャフト３４は、伝達機構３０により調理室１４の奥壁１４ｅのほぼ中央に配置される一方で、熱風モータ２９とそのモータ軸３７は、調理室１４の底壁面となる底壁１４ｂよりも下方一側に偏って配置され、ケース部材４２はシャフト３４とモータ軸３７とを結ぶ直線上に沿って設けられる。このように、熱風ファン２８と熱風モータ２９は、本体１の内部で離れた位置に設けられているが、プーリー３６Ａ，３６Ｂとベルト３８とを組み合わせた伝達機構３０によって、熱風モータ２９からの回転駆動力を熱風ファン２８に円滑に伝えることができる。また、熱風モータ２９を調理室１４より十分に離すことで、調理室１４からの熱影響を防ぐことができる。
【００３４】
その他、調理室１４の開口部を覆う縦開きの扉３は、オーブン前板１２を貫通して本体１に設けた左右一対の可動するヒンジ機構４６により、本体１の前側下部で回動自在に支持される。また、扉３を閉じた時に調理室１４内部への視認を可能にするために、扉３の外郭をなす扉部材４７の内部には、ガラスなどの透明な窓部材となる内装パネル４８が配設される。
【００３５】
次に、オーブンレンジの細部構成について、図７〜図１９を参照しながら説明する。先ず、熱風ユニット２４に関する構成を図７と図８に基づき説明すると、これらの各図において、熱風ヒータ２７は金属製の放熱パイプ５１の内部に、発熱体としてのニクロム線（図示せず）を収納したものであり、放熱パイプ５１の外周面には所定の間隔で円板状のフィン５２が配設される。これにより加熱室３１の内部では、回転する熱風ファン２８から吐出される風がフィン５２に吹付けられて、効率よく熱風化される構成となっている。
【００３６】
ケーシング２６には、熱風ヒータ２７を加熱室３１の内外に密閉状態で挿通させるヒータ取付け部５３が設けられる。このヒータ取付け部５３は、加熱室３１の横幅寸法Ｗｋを無理なく調理室１４の横幅寸法Ｗｍに近付けて広げられるように、加熱室３１の側部にではなく下部に配置される。また、これらの図には示していないが、調理室１４の奥壁１４ｅには、熱風ファン２８と向かい合う位置に吸込み口１６が配設されると共に、熱風ファン２８の放射方向に位置して、複数の熱風吹出し口１７が配設される。
【００３７】
特に本実施形態では、加熱室３１の横幅寸法Ｗｋが調理室１４の横幅寸法Ｗｍに近付くように、加熱室３１を極力左右に広げると共に、熱風ファン２８の中心から見て熱風ヒータ２７よりも外方で、且つ加熱室３１の左右端部近傍に熱風吹出し口１７を設けている。これにより、熱風ファン２８を正逆回転させることなく、熱風ユニット２４で生成した熱風が、熱風吹出し口１７から調理室１４の両隅側まで広がってワイドに送り込まれ、ムラのないオーブン加熱を実現できる。なお、熱風ヒータ２７の両端部は、通電のために加熱室３１の外部に引き出されて、他の電気部品に接続される。
【００３８】
本実施形態の熱風ユニット２４は、その動作時に最高で350℃の熱風を調理室１４内に供給する構成を有する。そのため、調理室１４の内面をセラミックの塗膜でコーティングすることと相俟って、扉３を除く部分で調理室１４の内面全体から、遠赤外線Ｒを効果的に放射することができる。そして、このような遠赤外線Ｒの放射と、前述した熱風Ｆの対流との組み合わせにより、例えばオーブン加熱の予熱時に、調理室１４内の温度が200℃に達するまでの加熱時間を約５分に早くすることができる他に、調理室１４内の被調理物Ｓに対する焼きムラを抑えて、きれいに焼き上げることが可能になる。
【００３９】
続いて、マイクロ波発生装置１９とその周辺の細部構成を、図９に基づいて説明する。調理室１４の底壁１４ｂは、金属板材６１に形成された凹状のアンテナ収納部６２の上面開口を、セラミック板などのマイクロ波が透過可能な底板６３で覆うことで構成される。マイクロ波が透過不能な金属板材６１は、底壁１４ｂの周囲部のみならず、左側壁１４ｃや、右側壁１４ｄや、奥壁１４ｅを一体的に形成するもので、底板６３を除く調理室１４の内面は、全てマイクロ波が透過不能な材料で形成される。
【００４０】
マイクロ波発生装置１９は、電波すなわちマイクロ波の供給源となるマグネトロン６４の他に、本体１内部の下部空間３２において、マグネトロン６４で発振されたマイクロ波をアンテナ収納部６２の直下に導く導波管６５と、導波管６５の下方に配設されるアンテナモータ６６と、その下端部が導波管６５の内部に配置され、アンテナモータ６６の回転軸に取付け固定されるアンテナホルダ６７と、アンテナホルダ６７内に挿入固定される円柱状のケーブル軸６８と、その中心にケーブル軸６８の上端部が取付け固定され、アンテナ収納部６２の内部で回動可能に設けられるアンテナ６９と、により主に構成される。そして、アンテナ収納部６２の上面開口を底板６３で塞いだ状態では、調理室１４の底壁１４ｂを形成する平板状の底板６３に対向して、アンテナ６９の全体が底板６３と平行に配置される。
【００４１】
ここで使用する円板状のアンテナ６９は、アンテナモータ６６への通電により底板６３の下方でケーブル軸６８を中心に回転するが、大きな円板を動かした方が、小さな円板を動かすより電波をかき回す面積が増えるので、調理室１４に入れた被調理物Ｓへの加熱ムラを抑えるのには有利となる。また、調理室１４の内壁面に近いところは電波の変化が少なくなり、温まりにくい特徴を持っている。そのため、従来のものよりも被調理物Ｓへの加熱ムラを効果的に抑制するために、アンテナ６９の直径Ａｒは２０ｃｍ以上とするのが好ましい。
【００４２】
次に、本体１内部の冷却構造について、図１０〜図１２を参照して説明する。本体１の内部は、前述した室外下部空間３２の他に、調理室１４の外面とキャビネット２の内面との間に、室外上部空間１６１と左右の室外側部空間１６２と室外後部空間１６３が各々形成される。図１０に示すように、室外下部空間３２には、熱風モータ２９と、第１送風ファン１６４と、印刷回路基板１６５と、マイクロ波発生装置１９のマグネトロン６４、アンテナモータ６６及びインバータ１６６がそれぞれ配置される。遠心ファンである第１送風ファン１６４は、室外下部空間３２の一側後方に設けられ、内部に風洞を形成するファンケース１６７と、ファンケース１６７内に回動可能に収容される羽根車１６８と、羽根車１６８に回転力を与える電動モータ１６９と、を主な構成要素とする。ファンケース１６７は、羽根車１６８の回転軸方向に、本体１を通してオーブンレンジ外部からの冷気を取込む吸気孔１７０が開口形成される一方で、これと直交する羽根車１６８の外周方向に、室外下部空間３２の被冷却部へ冷風を送り出す送風孔１７１，１７２が形成される。
【００４３】
前記印刷回路基板１６５は、室外下部空間３２の前方で基板取付板組立体１７４に収容保持され、この基板取付板組立体１７４の後側には、送風孔１７１に対向して取入口１７５が開口形成される。また、マグネトロン６４の駆動電源となるインバータ１６６は、室外下部空間３２の後方に設けた底部ダクト１７６に収容保持され、この底部ダクト１７６の一側には、送風孔１７１に対向して取入口１７７が開口形成される。底部ダクト１７６の他側にあって室外下部空間３２の他側後方には、熱風ユニット２４を構成する熱風モータ２９が配設され、これとは別に底部ダクト１７６には、室外下部空間３２の他側略中央に設けたマグネトロン６４に向けて冷風出口１７８が開口形成される。このように本実施形態では、室外下部空間３２において、基板取付板組立体１７４が第１送風ファン１６４から制御基板１６５に冷風を導く送風路を形成する一方で、これとは別部材の底部ダクト１７６が、第１送風ファン１６４から熱風モータ２９やマグネトロン６４に冷風を導く送風路を形成する構成となっている。
【００４４】
なお、上述した室外下部空間３２における各構成の配置や形状、数などは、第１送風ファン１６４の送風能力などを考慮して、適宜変更が可能である。
【００４５】
図１１及び図１２は、本体１の正面から見て右側の室外側部空間１６２と、それに連なる室外上部空間１６１の各構成を示している。これらの各図において、室外上部空間１６１は、キャビネット２の上面部と調理室１４の天井壁１４ａとの間に形成され、ここには前述の上ヒータ１８が上遮熱板組立体１８１に囲まれた状態で配置される。上遮熱板組立体１８１には配線接続用の孔１８２が開口形成され、この孔１８２を通して上ヒータ１８と印刷回路基板１６５との電気的接続を可能にしている。
【００４６】
右側の室外側部空間１６２は、キャビネット２の右側面部と調理室１４の右側壁１４ｄとの間に形成され、ここには前述のヒンジ機構４６や、庫内灯１０１ａ，１０１ｂや、第１センサ１１５や、センサモータ１１６や、第２センサ１１８の他に、扉３の開閉を検出する扉開閉検出手段１８４と、前述の第１送風ファン１６４とは別な第２送風ファン１８５がそれぞれ配置される。また室外側部空間１６２には、キャビネット２への熱影響を遮断する遮熱体として、上遮熱板組立体１８１と同様の右遮熱板組立体１８７が配設される。なお図示しないが、キャビネット２の左側面部と調理室１４の左側壁１４ｃとの間に形成される左側の室外側部空間１６２には、ヒンジ機構４６や、蒸気発生装置や、遮熱体としての左遮熱板組立体がそれぞれ配設される。
【００４７】
扉開閉検出手段１８４は、複数のマイクロスイッチにより室外側部空間１６２の前方上部に配設され、本体１に対して扉３が閉じた状態だけでなく、扉３が僅かに開いたときの状態も検出するものである。この扉開閉検出手段１８４よりも後方近傍には、上下の庫内灯１０１ａ，１０１ｂが配設され、扉開閉検出手段１８４の各マイクロスイッチや庫内灯１０１ａ，１０１ｂと印刷回路基板１６５との間を、配線により電気的に接続している。第１センサ１１５と、センサモータ１１６と、第２センサ１１８は、室外側部空間１６２の前後方向の略中央部に、上下に並んで配設される。右遮熱板組立体１８７には配線接続用の孔１８８，１８９が開口形成され、この孔１８２を通して上ヒータ１８と印刷回路基板１６５との電気的接続を可能にしている。
【００４８】
遠心ファンである第２送風ファン１８５は、室外側部空間１６２の略中央部下方にあって、右遮熱板組立体１８７の外側に設けられ、内部に風洞を形成するファンケース１９１と、ファンケース１９１内に回動可能に収容される羽根車１９２と、羽根車１９２に回転力を与える電動モータ１９３と、を主な構成要素とする。ファンケース１９１は、羽根車１９２の回転軸方向に、本体１を通してオーブンレンジ外部からの冷気を取り込む吸気孔１９４が開口形成される一方で、これと直交する羽根車１９２の外周方向に、室外側部空間１６２の被冷却部へ冷風を送り出す送風孔１９５，１９６，１９７が形成される。
【００４９】
２０１は、室外側部空間１６２において、第２送風ファン１８５から各部に冷風を導く送風路として設けた側部ダクトである。側部ダクト２０１は、第２送風ファン１８５の各送風孔１９５，１９６，１９７を取り囲むようにして配置されるダクト基部２０２と、このダクト基部２０２から室外側部空間１６２の被冷却部に向けて延びる複数のアーム部２０３，２０４とにより構成される。ダクト基部２０２には、第２センサ１１８に向けて冷風出口２０６が開口形成される。また、アーム部２０３の先端には、扉開閉検出手段１８４や庫内灯１０１ａ，１０１ｂに向けて冷風出口２０７が開口形成され、さらにアーム部２０４の先端にも、第１センサ１１５やセンサモータ１１６に向けて冷風出口２０８が開口形成される。なお、図３３では第２センサ１１８が装着されていないが、第２センサ１１８は製品の仕様に合わせて着脱することができる。
【００５０】
図１３〜図１５は、キャビネット２の外観構成を示している。これらの各図において、２１１は、キャビネット２の外面より外方に突出するリブである。このリブ２１１は、キャビネット２の右側面と左側面の前後にそれぞれ２個ずつ丸型凸状に形成される。また２１２は、第２送風ファン１８５の吸気孔１９４に対向して、オーブンレンジ外部からの冷気を取り入れるパンチングの取込孔である。取込孔２１２は、キャビネット２の右側面に開口形成され、この取込孔２１２の前後にリブ２１１が設けられる。なお、リブ２１１の形状や数などは図で示したものに限定されず、オーブンレンジを任意の場所に設置したときに、リブ２１１が設置壁面に当接した場合であっても、キャビネット２の外面と設置壁面との間での熱のこもりを防止して、取込孔２１２から本体１の内部に冷気を取入れることができる程度の突出高さに形成すればよい。
【００５１】
図１６は、オーブンレンジの主な電気的構成を図示したものである。同図において、２２１はマイクロコンピュータにより構成される制御手段であり、この制御手段２２１は前述の印刷回路基板１６５に搭載され、演算処理手段としてのＣＰＵや、記憶手段としてのメモリや、計時手段としてのタイマや、入出力デバイスなどを備えている。
【００５２】
制御手段２２１の入力ポートには、前述したキーやタッチパネルによる操作手段７や、庫内温度分布検出手段１０５や、扉３の開閉状態を検出する扉開閉検出手段１８４の他に、調理室１４内の温度を検出するサーミスタなどの庫内温度検出手段２２２と、検出センサ４５を含む熱風モータ回転検出手段２２３と、アンテナ６９の回転の原点を検出するアンテナ位置検出手段２２５と、前述した蒸気容器内の温度を検出するサーミスタなどの蒸気容器検出手段２２６が、それぞれ電気的に接続される。
【００５３】
制御手段２２１の出力ポートには、前述した表示手段６の他に、マグネトロンやその駆動手段を含むマイクロ波加熱手段２３１と、グリル加熱用の上ヒータ１８や、オーブン加熱用の熱風ヒータ２７や、スチーム加熱用の蒸発用ヒータをそれぞれ通断電させるリレーなどのヒータ駆動手段２３２と、アンテナモータ６６を回転駆動させるためのアンテナ駆動手段２３３と、熱風モータ２９を回転駆動させるための熱風モータ駆動手段２３４と、センサモータ１１６を正逆回転駆動させるためのセンサモータ駆動手段２３５と、蒸気発生装置の給水ポンプを動作させるためのポンプ駆動手段２３６と、照明手段としての庫内灯１０１ａ，１０１ｂを個々に駆動するための庫内照明駆動手段２３７と、第１送風ファン１６４の電動モータ１６９や、第２送風ファン１８５の電動モータ１９３を個々に駆動するための送風モータ駆動手段２３８が、それぞれ電気的に接続される。
【００５４】
制御手段２２１は、操作手段７からの操作信号と、庫内温度分布検出手段１０５や、庫内温度検出手段２２２や、熱風モータ回転検出手段２２３や、扉開閉検出手段１８４や、アンテナ位置検出手段２２５や、蒸気容器検出手段２２６からの各検出信号を受けて、計時手段からの計時に基づく所定のタイミングで、マイクロ波加熱手段２３１と、ヒータ駆動手段２３２と、アンテナ駆動手段２３３と、熱風モータ駆動手段２３４と、センサモータ駆動手段２３５と、ポンプ駆動手段２３６と、庫内照明駆動手段２３７と、送風モータ駆動手段２３８に駆動用の制御信号を出力し、また表示手段６に表示用の制御信号を出力する機能を有する。
【００５５】
そして制御手段２２１は、操作手段７の操作に伴う操作信号を受け取ると、扉開閉検出手段１８４からの検出信号により、扉３が閉じていると判断した場合に、その操作信号に応じて、マイクロ波加熱手段２３１や、ヒータ駆動手段２３２や、アンテナ駆動手段２３３や、熱風モータ駆動手段２３４や、センサモータ駆動手段２３５や、ポンプ駆動手段２３６に制御信号を送出して、種々の加熱調理を制御する構成となっている。
【００５６】
次に、上記構成のオーブンレンジについてその作用を説明すると、予め調理室１４内に被調理物Ｓを入れた状態で、ハンドル４を手で握りながら扉３を閉め、操作手段７により調理メニューを選択操作した後に調理開始を指示すると、制御手段２２１の記憶部に組み込まれた制御プログラムに従って、選択した調理メニューに対応して生成された制御信号が所定のタイミングで出力され、被調理物Ｓが加熱調理される。
【００５７】
ここで、例えばオーブン加熱の調理メニューを選択した場合、制御手段２２１からの制御信号がヒータ駆動手段２３２と熱風モータ駆動手段２３４に送出されて、熱風ヒータ２７と熱風モータ２９が各々通電され、熱風モータ２９のモータ軸３７に発生した回転力が、伝達機構３０を通して熱風ファン２８のシャフト３４に伝達する。それにより熱風ファン２８は加熱室３１の内部で一方向に回転し、その速度は熱風モータ回転検出手段２２３により制御手段２２１に取り込まれると共に、調理室１４から吸込み口１６を通して加熱室３１に吸込んだ空気を、通電した熱風ヒータ２７側に送り出し、ここで加熱された空気が熱風吹出し口１７を通して調理室に熱風Ｆとして供給されることで、調理室１４内の被調理物Ｓが熱風コンベクション加熱される。
【００５８】
さらに本実施形態では、オーブン加熱の調理メニューで、調理室１４内の温度が最高で３５０℃に達するように、制御手段２２１が庫内温度検出手段２２２からの検出信号を受けて、熱風ヒータ２７や熱風モータ２９の動作を制御することができる。この場合、調理室１４内が熱風Ｆで高温に晒されるに従って、セラミック塗膜６０を表面にコーティングした調理室１４の内面全体から遠赤外線Ｒが効果的に放射され、加熱時間が短縮されると共に、被調理物Ｓの焼きムラがより効果的に改善される。特に角皿２１に被調理物Ｓを載せてオーブン加熱を行なう場合は、角皿２１の通気孔２１Ｃを通して調理室１４内で熱風Ｆが上下に循環し、熱風Ｆと遠赤外線Ｒで被調理物Ｓを前後左右から包み込んで焼き上げることが可能になる。
【００５９】
レンジ加熱の調理メニューを選択した場合、制御手段２２１は庫内温度分布検出手段１０５からの検出信号を受けて、被調理物Ｓが設定した温度に加熱されるように、アンテナ位置検出手段２２５からの検出信号で、アンテナ６９の原点位置を確認しながら、マイクロ波加熱手段２３１とアンテナ駆動手段２３３とセンサモータ駆動手段２３５に適切な制御信号をそれぞれ送出する。これにより、マイクロ波発生装置１９のマグネトロンやアンテナモータ６６が通電動作して、回転するアンテナ６９の表面から発生したマイクロ波が調理室１４内に供給され、底壁１４ｂに置かれた被加熱物Ｓが高周波加熱される。
【００６０】
こうした加熱調理では、制御手段２２１による各部への通電制御に伴い、本体１内部の室外下部空間３２に配置した第１発熱部として、熱風モータ２９や、マグネトロン６４や、制御基板１６５や、インバータ１６６の温度が上昇し、また室外側部空間１６２に配置した第２発熱部として、庫内灯１０１ａ，１０１ｂや、第１センサ１１５や、センサモータ１１６や、第２センサ１１８や、扉開閉検出手段１８４の温度が上昇する。そこで本実施形態では、制御手段２２１から冷風モータ駆動手段２３８に送出される制御信号により、第１送風ファン１６４の電動モータ１６９と第２送風ファン１８５の電動モータ１９３を各々通電し、これらの第１発熱部や第２発熱部に冷却風を送風して温度上昇を抑制する。
【００６１】
具体的には、図１０に示す第１送風ファン１６４の電動モータ１６９への通電により、ファンケース１６７の内部で羽根車１６８が回転すると、オーブンレンジ外部から吸気孔１７０に取込まれた冷気が、送風孔１７１から基板取付板組立体１７４の取入口１７５に、また別の送風孔１７２から底部ダクト１７６の取入口１７７にそれぞれ送り出される。これにより、基板取付板組立体１７４内に導かれた冷却風が印刷回路基板１６５から発する熱を奪い取り、底部ダクト１７６内に導かれた冷却風がインバータ１６６から発する熱を奪い取る。また、底部ダクト１７６内を通過した一部の冷却風は熱風モータ２９に達して、この熱風モータ２９から発する熱を奪い取り、残りの冷却風は冷風出口１７８からマグネトロン６４に送り出されて、マグネトロン６４から発する熱を奪い取る。こうして、制御手段２２１からの制御信号を受けて、本体１内部の室外下部空間３２に配置した第１ファン１６４が駆動すると、同じ本体１内部の室外下部空間３２で、熱風モータ２９や、マグネトロン６４や、制御基板１６５や、インバータ１６６に冷却風を効果的に送風して、これらの発熱部の温度上昇を同時に抑制することができる。このように第１発熱部から吸熱した空気（以下、「吸熱空気」という。）は、室外下部空間３２から室外側部空間１６２及び室外後部空間１６３に流動し、室外側部空間１６２内及び室外後部空間１６３内を上昇して室外上部空間１６１へ移動する。
【００６２】
また、図１２及び図１３に示す第２送風ファン１８５の電動モータ１９３への通電により、ファンケース１９１の内部で羽根車１９２が回転すると、オーブンレンジ外部から吸気孔１９４に取込まれた冷気が、送風孔１９５，１９６，１９７から側部ダクト２０１のダクト基部２０２に送り出される。これにより、ダクト基部２０２の冷風出口２０６から第２センサ１１８に送り出された冷却風が、第２センサ１１８から発する熱を奪い取る。また、ダクト基部２０２からアーム部２０３に導かれた冷却風が、冷風出口２０７から扉開閉検出手段１８４と庫内灯１０１ａ，１０１ｂに送り出されて、これらの扉開閉検出手段１８４や庫内灯１０１ａ，１０１ｂから発する熱を奪い取り、ダクト基部２０２から別なアーム部２０４に導かれた冷却風が、冷風出口２０８から第１センサ１１５とセンサモータ１１６に送り出されて、これらの第１センサ１１５やセンサモータ１１６から発する熱を奪い取る。こうして、制御手段２２１からの制御信号を受けて、本体１内部の室外側部空間１６２に配置した第２ファン１８５が駆動すると、同じ本体１内部の室外側部空間１６２で、庫内灯１０１ａ，１０１ｂや、第１センサ１１５や、センサモータ１１６や、第２センサ１１８や、扉開閉検出手段１８４に冷却風を効果的に送風して、これらの発熱部の温度上昇を同時に抑制することができる。このように第２発熱部から吸熱した空気（以下、「吸熱空気」という。）は、室外側部空間１６２内を上昇して室外上部空間１６１へ移動する。
【００６３】
このように本実施形態では、本体１の内部において、調理室１４の室外下部空間３２に配置された熱風モータ２９や、マグネトロン６４や、制御基板１６５や、インバータ１６６を第１送風ファン１６４で冷却し、調理室１４の室外側部空間１６２に配置された庫内灯１０１ａ，１０１ｂや、第１センサ１１５や、センサモータ１１６や、第２センサ１１８や、扉開閉検出手段１８４を、別な第２送風ファン１８５で冷却することができる。この場合の制御手段２１１は、第１送風ファン１６４と第２送風ファン１８５の駆動を同時に制御してもよいし、別々に制御してもよい。何れにせよ、調理室１４の室外下部空間３２と室外側部空間１６２に配置された各発熱部を、２個の送風ファン１６４，１８５でそれぞれ冷却するので、室外下部空間３２と室外側部空間１６２との間に、冷却風を導くためダクトを設ける必要がなくなり、各発熱部に最短で効率よく冷却風を送風できる。
【００６４】
室外上部空間１６１には、後述する通気路９１が形成されており、室外上部空間１６１は通気路９１により左側に形成された左上部空間９２と、右側に形成された右上部空間９３に分かれている。通気路９１は、左上部空間９２及び右上部空間９３から独立した空間であり、通気路９１と左上部空間９２及び右上部空間９３との間では空気の移動がないが、左上部空間９２と右上部空間９３との間は、室外後部空間１６３を介して空気の移動が可能となっている。したがって、第１発熱部から吸熱した吸熱空気及び第２発熱部から吸熱した吸熱空気は、左上部空間９２及び右上部空間９３内を前方に向かって流動し、排気ダクト８１の開口部８４からオーブンレンジの外部に排出される。
【００６５】
図１７に示すように、通気路９１は、通気路９１と左上部空間９２とを仕切る左仕切壁９４と、通気路９１と右上部空間９３とを仕切る右仕切壁９５と、通気路９１と室外後部空間１６３とを仕切る後仕切壁９６とを有し、左仕切壁９４と右仕切壁９５と後仕切壁９６は、調理室１４の天井壁１４ａの上面に立設されており、キャビネット２に当接固定されている。左仕切壁９４と右仕切壁９５の前側の端部は、排気ダクト８１の開口部８４に配設されている。したがって、開口部８４はオーブンレンジの正面視において、左側から左上部空間９２、通気路９１、右上部空間９３にそれぞれ連通した３つの開口からなる。
【００６６】
通気路９１の後側の底部９７には、通気路９１と調理室１４とを連通する複数の連通孔９８が開口形成されている。この連通孔９８の上方には、開閉部としてのダンパー９９が設けられており、このダンパー９９により連通孔９８が開閉可能となっている。ダンパー９９は、通気路９１の底部９７に当接する底板１００と、底板１００の左右両端部に立設された左右の側板１０７と底板９７の前端部に立設された前板１０８とを有しており、左右の側板１０７の後部には左右の側部１０７を連結する横棒１０９が設けられ、この横棒１０９には上下方向に延びる可動棒１１０の上端が連結されている。可動棒１１０の下端は、板状の連接部１１１の一端に連結されている。この連接部１１１の他端には室外下部空間３２に配設されたステッピングモータ１１２のシャフト１１３が連結されている。また、ダンパー９９には横棒１０９よりも前側に左右の側板１０７に固定された軸部１１４が設けられており、ダンパー９９は軸部１１４を中心に回動自在となっている。
【００６７】
次に、ダンパー９９の動きについて説明する。ダンパー９９が連通孔９８を閉塞した状態からステッピングモータ１１２を駆動させると、シャフト１１３の回転に伴って連接部１１１が回転し、可動棒１１０が下方に移動し、ダンパー９９の後側が下方に引っ張られるため、前側が軸部１１４を中心に持ち上がり連通孔９８が開口される。連通孔９８が開口した状態からステッピングモータ１１２のシャフト１１３を逆回転させると、ダンパー９９の後側が上方に押上げられ、前側が軸部１１４を中心に降下し連通孔９８を閉塞する。なお、ダンパー９９は前後にスライドさせて連通孔９８を開閉する構造としてもよい。
【００６８】
オーブン加熱の場合には、調理室１４内の温度が最高で３５０℃に達するような高温となるため、通常、加熱中は連通孔９８を閉塞する。連通孔９８を閉塞すると、調理室１４内の高温の空気が排出されないため調理室１４内の温度が下がり難く、効率良く調理を行うことができる。一方、レンジ加熱及び過熱水蒸気調理の場合には調理室１４内に蒸気が生じるため、調理室１４内に結露が生じてしまう。そのため、レンジ加熱の場合には連通孔９８を開口し、蒸気を通気路９１に排出する。蒸気は通気路９１を移動中に温度が低下し一部が液化する。液化した水は、通気路９１の底部９７に貯留し自然乾燥される。このように、レンジ加熱時及び過熱水蒸気調理時に連通孔９８を開口することにより、調理室１４内の結露を抑制することができる。なお、通気路９１の底部９７に液化した水を貯留する貯留ケースを設けてもよい。貯留ケースは、例えば、底部９７に凹形状の溝を形成すればよい。
【００６９】
通気路９１内には、障害部としての５箇所の障害板１５３，１５４，１５５，１５６，１５７が設けられている。５箇所の障害板１５３，１５４，１５５，１５６，１５７は、左仕切壁９４に接続された前後の第１障害板１５３及び第２障害板１５４と、右仕切壁９５に接続された前後の第３障害板１５５及び第４障害板１５６と、第１障害板１５３及び第３障害板１５５と第２障害板１５４及び第４障害板１５６との間であって、左仕切壁９４及び右仕切壁９５に接続しない第５障害板１５７から構成されている。調理室１４から連通孔９８を通って通気路９１に流入した蒸気は、第１障害板１５３、第２障害板１５４、第３障害板１５５、第４障害板１５６、第５障害板１５７の間隙を流動する。この障害板１５３，１５４，１５５，１５６，１５７により通気路９１内を流動する蒸気の移動距離が長くなるため、蒸気は流動中に通気路９１を形成するキャビネット２、左仕切壁９４、右仕切壁９５等の周囲の部材に熱を奪われ温度が降下し液化する。そのため、開口部８４からは高温の空気が排出されないようになっている。なお、蒸気を十分に液化させることができれば、障害板１５３，１５４，１５５，１５６，１５７の数や配置は任意に変更可能である。
【００７０】
以上のように本実施例では、被調理物を収容する調理室１４を備えた本体１と、本体１を覆う外殻体としてのキャビネット２と、を備え、キャビネット２の上面前端部には内部の空気を外部に排出する開口部８４が設けられる。
【００７１】
この場合、オーブンレンジ内部の空気をオーブンレンジの上面前端部からオーブンレンジ外部へ排出することができる。そのため、オーブンレンジのキャビネット２の側面部や背面部から高温の空気が排出されないため、図２０及び図２１に示すように、オーブンレンジの側面部及び背面部をキッチンファーニチャー１５１の内面に接近させて収納することができる。
【００７２】
また、本実施例では、本体１と前記外殻体としてのキャビネット２との間には空気が流動する通気空間としての室外下部空間３２、室外上部空間１６１、室外側部空間１６２、室外後部空間１６３が形成され、室外下部空間３２、室外上部空間１６１、室外側部空間１６２、室外後部空間１６３が開口部８４に連通している。
【００７３】
この場合、オーブンレンジ内の空気を室外下部空間３２、室外上部空間１６１、室外側部空間１６２、室外後部空間１６３を流動させて開口部８４からオーブンレンジの外部へ排出することができる。そのため、オーブンレンジのキャビネット２の側面部や背面部から高温の空気が排出されないため、オーブンレンジの側面部及び背面部をキッチンファーニチャー１５１の内面に接近させて収納することができる。
【００７４】
また、本実施例では、本体１上部には、調理室１４内から空気を排出する連通孔９８が形成され、連通孔９８と開口部８４とを連通する通気路９１が形成され、通気路９１は通気空間としての室外下部空間３２、室外上部空間１６１、室外側部空間１６２、室外後部空間１６３と連通しない。
【００７５】
この場合、調理室１４内の蒸気を通気路９１で液化し、空気を開口部８４からオーブンレンジの外部に排出することができる。また、通気路９１が室外下部空間３２、室外上部空間１６１、室外側部空間１６２、室外後部空間１６３と連通していないため、調理室１４内で生じた蒸気が室外下部空間３２、室外上部空間１６１、室外側部空間１６２、室外後部空間１６３に移動することを防止することができる。
【００７６】
また、本実施例では、連通孔９８を開閉する開閉部としてのダンパー９９を備える。
【００７７】
この場合、調理室１４内で生じた蒸気の排出をダンパー９９により制御することができる。
【００７８】
また、本実施例では、通気路９１には、連通孔９８から開口部８４まで空気が流動する距離を長くするための障害部として、第１障害板１５３、第２障害板１５４、第３障害板１５５、第４障害板１５６、第５障害板１５７が形成されている。
【００７９】
この場合、通気路９１内を流動する蒸気の移動距離が長くなり、通気路９１内で蒸気の温度が下がり液化する。したがって、高温の蒸気が開口部８４からオーブンレンジの外部に排出されることを防止できる。
【００８０】
また、本実施例では、開口部８４が左右方向に細長く形成されている。
【００８１】
この場合、開口部８４の高さＨを高くしなくても開口部８４の開口面積を大きくすることができる。そのため、開口部８４から多くの空気を排出することができる。
【００８２】
なお、本発明は上記各実施例に限定されるものではなく、本発明の趣旨を逸脱しない範囲で種々の変更が可能である。例えば、通気路は室外上部空間の左右方向中央部に設けたが、左右いずれか一方に設けてもよい。
【符号の説明】
【００８３】
１  本体
２  キャビネット（外殻体）
３２  室外下部空間（通気空間）
８４  開口部
９１  通気路
９８  連通孔
９９  ダンパー（開閉部）
１５３  第１障害板（障害部）
１５４  第２障害板（障害部）
１５５  第３障害板（障害部）
１５６  第４障害板（障害部）
１５７  第５障害板（障害部）
１６１  室外上部空間（通気空間）
１６２  室外側部空間（通気空間）
１６３  室外後部空間（通気空間）
【図１】
2018091493.tif 000003
【図２】
2018091493.tif 000004
【図３】
2018091493.tif 000005
【図４】
2018091493.tif 000006
【図５】
2018091493.tif 000007
【図６】
2018091493.tif 000008
【図７】
2018091493.tif 000009
【図８】
2018091493.tif 000010
【図９】
2018091493.tif 000011
【図１０】
2018091493.tif 000012
【図１１】
2018091493.tif 000013
【図１２】
2018091493.tif 000014
【図１３】
2018091493.tif 000015
【図１４】
2018091493.tif 000016
【図１５】
2018091493.tif 000017
【図１６】
2018091493.tif 000018
【図１７】
2018091493.tif 000019
【図１８】
2018091493.tif 000020
【図１９】
2018091493.tif 000021
【図２０】
2018091493.tif 000022
【図２１】
2018091493.tif 000023